【手続補正書】
【提出日】平成16年7月13日(2004.7.13)
【手続補正１】
【補正対象書類名】明細書
【補正対象項目名】特許請求の範囲
【補正方法】変更
【補正の内容】
【特許請求の範囲】
【請求項１】
間隔をおいた配列で配置された複数のプレートであって、第１平面の熱伝導流体の流れを定めるために第１端部から第２端部まで内部で延設された複数の通路をそれぞれ含む複数のプレートと、
プレートの数に等しい複数の第１末端部材及び同様にプレートの数に等しい複数の第２末端部材であって、プレートの第１及び第２端部に各々流体が移動できるように接続又は連結するために適応し、積み重なった構成において各々隣接する複数の第１及び第２末端部材に取り付けられるように更に適応する陥凹部を含み、前記陥凹部の深さが前記プレートの厚さ以上であり、対応する前記第１及び第２末端部材の陥凹部の反対側の表面が隣接するプレートの端部に結合した隣接末端部材の陥凹部へ嵌め込むために適応する隆起部を含むことを特徴とし、プレートへの熱伝導流体の流入、プレートからの熱伝導流体の流出、或いは流体の流入と流出地点の間の流体の流れの経路を作るためにプレート内での流体の１８０°方向転換を可能にする少なくとも１つのキャビティを更に含む第１及び第２末端部材と、
熱伝導流体が個々のプレートを通って平行した経路を移動するために、隣接したプレートの平行した流体流入点と流体供給口の間の第１流体接続及び隣接したプレートの平行した流体流出点と流体流出口の間の第２流体接続を提供する、積み重なった複数の第１及び第２末端部材を通して延設される少なくとも２本の流体導管と、
からなる熱交換装置。
【請求項２】
前記積み重ねられた複数の第１及び第２末端部材内に縦方向に位置合わせされた隣接する方向転換キャビティが、流体バイパス導管によって第１末端部材と第２末端部材の間で流体が移動できるように結合されることを特徴とする請求項１の熱交換装置。
【請求項３】
前記流体供給口及び流体流出口が、少なくとも前面部、背面部、端部、上部、底部又は流路を含む、積み重ねられた複数の第１及び第２末端部材の領域にあることを特徴とする請求項１の熱交換装置。
【請求項４】
間隔をおいた配列で配置された複数のプレートであって、熱伝導流体の流れを定めるために第１末端から第２末端まで内部で延設された複数の通路をそれぞれ含む複数のプレートと、
前記プレートの数と同数の複数の末端部材であって、前記プレートの第１端と流体が移動可能なように接続及び連結するように適応し、更に、近接する各末端部材に積み重ねられた構成で取り付けられるように適応した陥凹部を含み、更に、前記熱伝導流体を前記プレートに流入させ、前記熱伝導流体を前記プレートから流出させ、あるいは前記流体の入口点と出口点の間に流体流路を設けるためにプレート内で前記流体を１８０°方向変換させることを可能とする少なくとも２つの方向変換キャビティを含む前記各末端部材と、
熱伝導流体が個々のプレートを通って平行した経路を移動するために、隣接したプレートの平行した流体流入点と流体供給口の間の第１流体接続及び隣接したプレートの平行した流体流出点と流体流出口の間の第２流体接続を提供する、積み重なった複数の第１及び第２末端部材を通して延設される少なくとも２つの流体導管と、
前記少なくとも１つのキャビィティ及び前記少なくとも２つの外部からの流体導管を流動的に密閉するための、積み重ねられた複数の第１及び第２末端部材の各端部に設けられる密閉手段と、
前記複数のプレートの近傍に設けられる、液体を前記複数のプレートの表面に解放するための液体解放手段と、
からなる熱交換装置。
【請求項５】
前記液体解放手段が、前記複数のプレートの第１端の近傍に設けられ、該液体解放手段から解放される液体が前記複数のプレートの第１端から第２端へ流れることを特徴とする請求項４の熱交換装置。
【請求項６】
第１端から流れる液体を回収するために、前記複数のプレートの第２端の近傍に設けられる液体回収手段から更になることを特徴とする請求項５の熱交換装置。
【請求項７】
前記液体解放手段が、
液体を供給するための複数の積み重ねられた第１末端部材内の縦方向に延設された供給導管と、
各第１端部材内でそれぞれ供給導管から各プレートへ延設された複数の供給ラインと、
前記複数の供給ラインのそれぞれから延設され該供給ラインに連通する分配用金属薄板であって、第２の液体を少なくとも１つの対応するプレートの第１端部近傍の表面部に放出する前記分配用金属薄板と、
を含むことを特徴とする請求項４の熱交換装置。
【請求項８】
前記分配用金属薄板が、供給ラインと流体が移動できるように接続された複数の分配用溝を更に含み、その溝を通って液体が第１端近傍の対応する前記少なくとも１つのプレートの表面部へ解放されることを特徴とする請求項７の熱交換装置。
【請求項９】
前記複数の分配溝が、前記分配用金属薄板の各々の両側に沿って下向きに延設されることを特徴とする請求項８の熱交換装置。
【請求項１０】
前記複数の分配溝の各々が、直線状の経路で延設されることを特徴とする請求項８の熱交換装置。
【請求項１１】
前記複数の分配溝の各々が、非線形の経路で延設されることを特徴とする請求項８の熱交換装置。
【請求項１２】
前記分配用金属薄板が、更に少なくとも１つの流体溝を含み、該溝を通り液体が供給ラインから、前記少なくとも１つの対応するプレートの第１端部近傍の表面部へ通過することを特徴とする請求項７の熱交換装置。
【請求項１３】
前記分配用金属薄板が、多孔性素材からなり、その孔を通って前記液体が、供給ラインから少なくとも１つの前記対応するプレートの第１端近傍のプレート表面部へ流れることを特徴とする請求項７の熱交換装置。
【請求項１４】
前記第１末端部材が、積み重ねられた複数の前記第１末端部材内に浄化キャビィティを形成する浄化通孔を更に含み、この浄化キャビィティは、前記液体の一部分が分配用金属薄板を迂回することを可能とするために、前記供給導管の反対側にある複数の前記供給ラインに、流体が移動可能なように接続されることを特徴とする請求項７の熱交換装置。
【請求項１５】
前記流体回収手段が、
プレートの第１端から第２端へ複数のプレートの表面を沿って流れる液体を回収するための、積み重ねられた複数の前記第２末端部材で形成される前面及び背面の側壁で形成されるリザーバと、
前記リザーバを備え、該リザーバから回収された液体を受け入れるために積み重ねられた複数の前記第２末端部材内を縦方向に延長する流体流路における排出導管と、
から更になることを特徴とする請求項６の熱交換装置。
【請求項１６】
前記第２末端部材の前記陥凹部が、前記液体を前記排水導管に向って導くための傾斜した端部を含むことを特徴とする請求項１５の熱交換装置。
【請求項１７】
前記排水導管の近傍の背面の側壁が後縁通気遮断壁を含み、前記排水導管と反対側の前面の側壁が前縁通気遮断壁を含むことを特徴とする請求項１５の熱交換装置。
【請求項１８】
前記液体が液体乾燥剤であることを特徴とする請求項６の熱交換装置。
【請求項１９】
前記密閉手段が蓋板であることを特徴とする請求項４の熱交換装置。
【請求項２０】
前記積み重ねられた複数の第１及び第２末端部材内に縦方向に位置合わせされた隣接する方向転換キャビティが、流体バイパス導管によって第１末端部材と第２末端部材の間で流体が移動できるように結合されることを特徴とする請求項第４の熱交換装置。
【請求項２１】
前記第１及び第２末端部材内の前記隣接するキャビティが、バイパス・チャンネルによって第１及び第２末端部材の間で流体が移動できるように接続されることを特徴とする請求項４の熱交換装置。
【請求項２２】
前記陥凹部の深さが前記プレートの厚さと等しいことを特徴とする請求項４の熱交換装置。  【請求項２３】
前記陥凹部の深さが前記プレートの厚さよりも小さく、対応する前記第１及び第２末端部材の陥凹部の反対側の表面が隣接するプレートの突出端部を受けるための陥凹部を含むことを特徴とする請求項４の熱交換装置。
【請求項２４】
前記陥凹部の深さが前記プレートの厚さよりも大きく、対応する前記第１及び第２末端部材の前記陥凹部の反対側の表面が隣接するプレートの端部に結合した隣接末端部材の陥凹部へ嵌め込むために適応する隆起部を含むことを特徴とする請求項４の熱交換装置。
【請求項２５】
前記複数のプレートがプレートの縦軸に対し直角の方向に湾曲し、前記第１及び第２末端部材も同様に湾曲することを特徴とする請求項４の熱交換装置。
【請求項２６】
前記流体供給口及び流体排出口が、少なくとも正面部及び背面部、端部、上端及び下端部あるいはその組み合わせを含む、積み重ねられた複数の第１及び第２末端部材の領域にあることを特徴とする請求項４の熱交換装置。
【請求項２７】
複数の前記プレート及び前記第１及び第２末端部材が、該プレートの縦軸に対し垂直方向に湾曲することを特徴とする請求項４の熱交換装置。
【請求項２８】
間隔をおいた配列で配置された複数のプレートであって、熱伝導流体の流れを定めるために第１末端から第２末端まで内部で延設された複数の通路をそれぞれ含む複数のプレートと、
前記プレートの数と同数の複数の末端部材であって、前記プレートの第１端と流体が移動可能なように接続及び連結するように適応し、更に、近接する各末端部材に積み重ねられた構成で取り付けられるように適応した陥凹部を含み、更に、前記熱伝導流体を前記プレートに流入させ、前記熱伝導流体を前記プレートから流出させ、あるいは前記流体の入口点と出口点の間に流体流路を設けるためにプレート内で前記流体を１８０°方向変換させることを可能とする少なくとも２つの方向変換キャビティを含む前記各末端部材と、
流体の流れを前記プレートへ方向変換するための、前記プレートの第２端にある流体方向変換手段と、
取り付けられた末端部材に各々が連携され、熱伝導流体が各プレートを通って平行な経路を移動するように配置された流体供給口及び流体排出口と、
前記複数のプレートの近傍に設けられる、液体を前記複数のプレートの表面に解放するための液体解放手段と、
からなる熱交換装置。